(57)【要約】【課題】患者の外見上現れる薬剤の作用や副作用の症状を記録して、患者に合わせた適正な薬剤診断および服薬指導を行うために役立つ薬歴簿の作成する。【解決手段】薬局２０の窓口にカメラ３を設置し、薬剤を受け取る患者の患部や顔色、全身、皮膚の状態等を撮影して、その画像を薬歴簿に貼り付ける。特に、カメラ３がデジタルカメラであり、薬歴簿の記録に用いられる薬局用端末機２とカメラ３とを接続し、カメラ３で撮影した画像または動画のデータを薬局用端末機２に取り込んで、患者の薬歴簿に前記データを貼り付ける。【選択図】        図１
2004206578.tif 000002
【特許請求の範囲】
【請求項１】
薬局の窓口にカメラを設置し、薬剤を受け取る患者の患部や顔色、全身、皮膚の状態等を撮影して、その画像を薬歴簿に貼り付けることを特徴とする薬歴簿システム。
【請求項２】
前記カメラがデジタルカメラであり、薬歴簿の記録に用いられる薬局用端末機と前記カメラとを接続し、前記カメラで撮影した画像または動画のデータを前記薬局用端末機に取り込んで、患者の薬歴簿に前記データを貼り付ける請求項１記載の薬歴簿システム。
【請求項３】
薬剤情報を統括する機関に、薬歴簿データベースが格納されたサーバが設置されていて、インターネットを介して端末機から前記サーバへ接続可能であり、前記薬局用端末機で作成され前記サーバへ送信された患者毎の薬歴簿が前記薬歴簿データベースへ記録されるとともに、医療機関や患者自身が有する端末機を用いて前記薬歴簿データベースを閲覧することができる請求項２記載の薬歴簿システム。
【発明の詳細な説明】
【０００１】
【発明の属する技術分野】
本発明は、処方薬剤の調剤を行う薬局において作成される薬歴簿に関するものであり、薬歴簿に、薬歴や調剤記録に加えて、視覚的に確認できる患者の症状を撮影して記録するシステムに関するものである。
【０００２】
【従来の技術】
病院や診療所等の医療機関で診察を受けた患者は、医師によって薬剤を処方され、院内または院外の薬局で薬剤が与えられる。
【０００３】
薬剤には、通常、効能と副作用とがあり、医師または薬剤師は、処方薬剤の傷病に対する作用と、起こりうる副作用の初期症状や対処等について、患者に適切な説明をしなければならない。従って、従来より、薬剤師が、薬剤の使用法や副作用、注意事項などの薬剤情報を記載した服薬指導書を患者に渡すとともに口頭で服薬指導を行い、患者が自己監視しながら正しく服薬し、危険を回避できるようにすることが行われている。
【０００４】
【発明が解決しようとする課題】
しかしながら、専門的な医学知識を有しない患者にとって、毎日少しずつ変わっていく症状の変化や副作用の初期症状を自覚することは困難であった。また、薬剤師が個々の患者の症状に合った薬剤診断や服薬指導を行うために、薬剤の作用や副作用に関する症状を客観的に判断する手段が必要とされていた。
【０００５】
本発明は、上記の問題点を解決するためになされたものであり、患者の外見上現れる薬剤の作用や副作用の症状を記録して、患者に合わせた適正な薬剤診断および服薬指導を行うために役立つ薬歴簿の作成手段を提供するものである。
【０００６】
【課題を解決するための手段】
そこで、本発明は、薬局の窓口にカメラを設置し、薬剤を受け取る患者の患部や顔色、全身、皮膚の状態等を撮影して、その画像を薬歴簿に貼り付けることとした。
【０００７】
患者が来局した際に患部等を撮影し、その画像を薬歴簿に記録しておけば、前回と比較して薬剤の効果が現れているかどうか、症状が進行していないかどうか、または発疹等の副作用が発現していないかどうかを視覚的且つ客観的に確認することができる。
【０００８】
そして、カメラをデジタルカメラとし、端末機とカメラとを接続することによって、画像データの貼り付けが迅速且つ容易に行えるうえ、静止画像だけでなく動画も容易に薬歴簿に組み込むことができる。
【０００９】
また、薬剤情報を統括する機関に設けられたサーバに薬歴簿データベースが格納されていて、医療機関や患者自身が有するパソコン等の端末機からインターネットを介してサーバへ接続し、薬歴簿を閲覧することができるようにすれば、患部等の画像や動画を記録した薬歴簿の情報を医師や患者自身も共有することができる。
【００１０】
【発明の実施の形態】
本発明の実施の形態を図面に基づいて説明する。
【００１１】
図１は、本発明を実施する設備構成の一例を示すものである。
【００１２】
薬局２０には薬局用端末機２が設置され、窓口に設けられたカメラ３と接続されている。薬局用端末機２としては、制御装置、通信装置、入力装置、表示装置を備えた通常のパソコン等が用いられ、この薬局用端末機２によって、患者の薬歴簿が作成される。カメラ３は、少なくとも短時間の動画が撮影できるデジタルカメラとされ、一台または窓口の数に応じて複数台設けられて、撮影した画像や動画のデータを薬局用端末機２へ送信できるようにされている。
【００１３】
また、薬剤情報等を統括管理する機関に設置されたサーバ９には、患者毎の薬歴簿が記憶された薬歴簿データベースが格納されていて、薬局用端末機２からインターネットを介してサーバ９へ接続することができるようになっている。そして、薬局用端末機２で患者毎の薬歴簿を作成してサーバ９へ送信すると、その薬歴簿をサーバ９内の薬歴簿データベースへ記録させることができるとともに、薬局用端末機２を用いて、薬歴簿データベースに記憶された内容を閲覧することができる。更に、医療機関４０に設置された医療用端末機４、または医療関係者や患者自身が有するパソコン５１や移動体端末機器５２等の端末機５を用いて、インターネットを介してサーバ９に接続し、薬歴簿データベースを閲覧することができる。この場合、それぞれの利用者は、ＩＤ記号やパスワード等の認証手段を有し、サーバ９が各利用者を識別することによって、利用者毎の権限に応じた範囲のデータのみに接続できるようにされる。
【００１４】
図２は、本発明の実施手順を示すものである。
【００１５】
患者が薬局２０を訪れて処方箋を提出すると、薬剤師は、処方薬剤の適合性を薬剤診断し、調剤を行うとともに、患部や顔色、全身、顔や手足等の皮膚の状態、手足の形状等、患者の傷病の種類や薬剤の性質に応じた部位をカメラ３で撮影する。患者の症状が身体の動きに関する場合等には、動画による撮影を行う。
【００１６】
撮影した画像または動画のデータは、カメラ３から薬局用端末機２へ送信され、患者の保険証情報や薬歴、調剤記録等が記録された薬歴簿の所定個所へ貼り付けられる。
【００１７】
こうして作成された薬歴簿は、インターネットを介してサーバ９へ送信され、サーバ９内の薬歴簿データベースへ記録される。
【００１８】
そして、サーバ９に記録された薬歴簿データベースの内容は、医療機関４０に設置された医療用端末機４や、回診や往診等を行う医師或いは患者自身が保有するパソコン５１または移動体端末機器５２等、インターネットに接続可能な端末機５を用いて閲覧することができるので、例えば患者が自分の薬歴簿を閲覧して、症状の変化を自覚したり副作用出現の有無を確認したりすることができる。また、薬局２０や医療機関４０において、画像または動画を貼り付けた薬歴簿を閲覧することによって、薬剤師および医師によって、患者の傷病に対する回復具合や進行状況を経時的且つ客観的に診断することができる。
【００１９】
尚、本発明で用いられるカメラ３はデジタルカメラに限らず、フィルムを用いたカメラやインスタントカメラ等でもよく、その場合には、プリントした写真を、紙等に印刷した薬歴簿に貼り付けたり、或いはプリントした写真をスキャナで読み込んでデジタル化したデータを電子薬歴簿へ組み込んだりしてもよい。
【００２０】
また、薬歴簿データベースが、外部機関のサーバ９ではなく薬局用端末機２の記憶装置に蓄積される場合には、撮影した画像または動画を、医療機関４０で電子カルテの作成等に用いられている医療用端末機４へ送信することによって、データを共有するようにしてもよい。
【００２１】
【発明の効果】
本発明によると、薬剤によって患者の外見上に現れる症状の変化や副作用出現の有無を客観的且つ経時的に記録できるので、薬剤師による薬剤診断や服薬指導を有効に行うことができる。
【００２２】
また、デジタルカメラを用いて撮影することによって画像または動画を電子化すれば、医療機関や患者等の間で容易に情報を共有することができる。
【図面の簡単な説明】
【図１】本発明を実施するためのハードウェア構成を示す概略図である。
【図２】本発明の実施手順を示す流れ図である。
【符号の説明】
２  薬局用端末機、３  カメラ、４  医療用端末機、５  端末機、９  サーバ、２０  薬局、４０  医療機関、５１  パソコン、５２  移動体端末機器
【図１】
2004206578.tif 000003
【図２】
2004206578.tif 000004